(57)【要約】  本発明は、被計測対象の物理状態を高精度に計測しつつその計測結果を高速に送信することができる、無線通信技術を提供することを目的とする。  本発明に係る通信装置は、第１時間スロットにおいて計測結果を無線送信し、第１時間スロットとは異なる第２時間スロットにおいて計測を開始する（図３参照）。
2015145622.tif 000002
【特許請求の範囲】
【請求項１】
被計測対象の物理状態を計測する計測部、
前記計測部による計測結果を時分割の無線通信により送信する無線通信部、
を備え、
前記無線通信部は、あらかじめ割り当てられた第１時間スロットにおいて、前記計測結果を無線通信により送信し、
前記計測部は、前記第１時間スロットとは異なる第２時間スロットにおいて、前記被計測対象の物理状態を計測する動作を開始する
ことを特徴とする通信装置。
【請求項２】
前記計測部と前記無線通信部は、環境中の電磁波から電力を受け取り、その電力を電源として動作する
ことを特徴とする請求項１記載の通信装置。
【請求項３】
前記無線通信部は、前記被計測対象の物理状態に関する計測結果を送信するよう指示する命令を無線通信により受信し、その指示にしたがって前記計測部に対して前記被計測対象の物理状態を計測開始するよう指示し、
前記計測部は、前記無線通信部からの指示にしたがって前記被計測対象の物理状態を計測する動作を開始し、
前記計測部と前記無線通信部は、前記無線通信部が前記命令を受信した無線通信の電磁波を電源として動作する
ことを特徴とする請求項２記載の通信装置。
【請求項４】
前記計測部と前記無線通信部は、前記被計測対象から電力を受け取り、その電力を電源として動作する
ことを特徴とする請求項１記載の通信装置。
【請求項５】
前記被計測対象は電池であることを特徴とする請求項４記載の通信装置。
【請求項６】
第１および第２の請求項１記載の通信装置、
前記第１および第２の通信装置と無線通信するコントローラ、
を備え、
前記コントローラは、前記第１および第２の通信装置に対してそれぞれ、前記第１時間スロットを割り当てる信号と、その割り当てた前記第１時間スロットにおいて前記計測結果を送信するよう指示する送信命令とを、無線通信により送信し、
前記第１および第２の通信装置は、前記送信命令にしたがって前記第１時間スロットにおいて前記計測結果を無線通信により前記コントローラに対して送信する
ことを特徴とする通信システム。
【請求項７】
前記コントローラは、前記第１および第２の通信装置に対してそれぞれ、前記第１時間スロットとは異なる前記第２時間スロットを割り当てる信号と、その割り当てた前記第２時間スロットにおいて前記被計測対象の物理状態を計測するよう指示する計測命令とを、無線通信により送信し、
前記第１および第２の通信装置は、前記計測命令にしたがって前記第２時間スロットにおいて前記被計測対象の物理状態を計測する動作を開始する
ことを特徴とする請求項６記載の通信システム。
【請求項８】
前記コントローラは、前記第１および第２の通信装置に対して、互いに時間的に重なり合う前記第２時間スロットを割り当て、
前記第１および第２の通信装置は、前記コントローラから割り当てられた前記第２時間スロットにしたがって、互いに同時並行して、前記被計測対象の物理状態を計測する
ことを特徴とする請求項７記載の通信システム。
【発明の詳細な説明】
【技術分野】
【０００１】
本発明は、被計測対象の物理状態に関する計測結果を無線通信により送信する技術に関する。
【背景技術】
【０００２】
近年、移動体向け蓄電装置、系統連系安定化用蓄電装置、非常用蓄電装置といった多数の電池を内蔵する電池システムが注目を浴びている。これらシステムの性能を引き出すためには、電池の充電率（ＳＯＣ）、劣化度（ＳＯＨ）、充放電可能な最大電流（許容充放電電流）といったパラメータを算出してその結果に基づき電池の動作を制御し、また各電池の充電率を適切に揃える必要がある。【０００３】
これら動作を実現するため、各電池には電池電圧計測用の回路（セルコントローラ）が取り付けられ、セルコントローラから送られてくる情報に基づき中央演算処理装置（ＣＰＵ）を搭載したバッテリコントローラが前記演算や動作を実行する。この演算を精度良く実施するためには、電池電圧や電池電流を高精度に計測する必要がある。また電池のＳＯＣやＳＯＨは電流と電圧の相関を利用して演算するため、電圧と電池それぞれの計測タイミングは近いことが望ましい。【０００４】
電池システムに内蔵する電池の個数が増加すると、セルコントローラとバッテリコントローラとの間を結ぶ通信線の本数が増大し、また結線に必要な製造コストも増大する。そこで、通信を無線化することが考えられる。このときに用いる通信手順としては、たとえば下記特許文献１記載の超音波通信方法が考えられる。【０００５】
特許文献１記載のように、各セルコントローラに対し通信を許可するスロットを割り当て、このスロット内で計測や通信を実施することにより、多数存在するセルコントローラとバッテリコントローラを結ぶ通信線を省略することができる。この通信は、演算のリアルタイム性を確保するため、高速であることが望ましい。
【先行技術文献】
【特許文献】
【０００６】
【特許文献１】特開２０１２−０６５０７３号広報
【発明の概要】
【発明が解決しようとする課題】
【０００７】
高精度な計測にかかる時間は、低精度な計測に比べ一般的に長くなる。そのため特許文献１記載の通信方法のように、割り当てられたスロット内で計測を実施してその結果を受信するまでの動作を完了するためには、計測所要時間に合わせてスロットを長くする必要がある。しかしスロットを長くすると、実質的な通信速度である時間当たりの通信量が低下してしまう。すなわち特許文献１記載の通信方法は、計測の高精度化と通信の高速化を両立することは困難であると考えられる。【０００８】
また、特許文献１記載の通信方法のように、各セルコントローラがそれぞれ割り当てられたスロットにおいて独立して計測を実施すると、計測タイミングがセルコントローラ毎にばらばらになってしまい、電池のＳＯＣやＳＯＨの算出精度が低下してしまう。【０００９】
本発明は、上記のような課題に鑑みてなされたものであり、被計測対象の物理状態を高精度に計測しつつその計測結果を高速に送信することができる、無線通信技術を提供することを目的とする。
【課題を解決するための手段】
【００１０】
本発明に係る通信装置は、第１時間スロットにおいて計測結果を無線送信し、第１時間スロットとは異なる第２時間スロットにおいて計測を開始する。
【発明の効果】
【００１１】
本発明に係る通信装置によれば、時間を要する高精度な計測と高速な実質通信速度を両立させることができる。
【図面の簡単な説明】
【００１２】
【図１】電池システム１００およびその周辺の構成図である。
【図２】電池システム１００の詳細を説明する図である。
【図３】バッテリコントローラ１０２が２台のセルコントローラ２０３との間で無線通信する動作を説明するタイミングチャートである。
【発明を実施するための形態】
【００１３】
図１は、本発明に係る電池システム１００（通信システム）およびその周辺の構成図である。電池システム１００の出力電圧は、電池の残容量や出力電流等により変動する直流電圧であるため、負荷１１１に対して電力を直接供給するには適さない場合がある。そこで、上位コントローラ１１２により制御されるインバータ１１０により電池システム１００の出力電圧を三相交流に変換した後、負荷１１１に対して供給する。負荷１１１に直流電圧、他の多相交流、単相交流を供給する場合も同様の構成となる。負荷１１１が電力を出力する場合は、インバータ１１０を双方向インバータとすることにより、負荷１１１が出力した電力を電池システム１００に蓄えることができる。また、充電システムをインバータ１１０と並列になるように電池システム１００に対して接続することにより、必要に応じ電池システム１００を充電することもできる。
【００１４】
電池システム１００は、電池の充電率（ＳＯＣ）、劣化率（ＳＯＨ）、電池に流すことのできる最大充電電流・放電電流（許容充放電電流）、電池温度、電池異常の有無等の電池状態に関する情報を、上位コントローラ１１２に対して送信する。上位コントローラ１１２はこれらの情報に基づき、エネルギーマネージメントや異常検知を実施する。上位コントローラ１１２は、例えば異常検知結果に基づき電池システム１００をインバータ１１０または負荷１１１から切り離すべきと判断した場合は、電池システム１００に対して切断指示を送信する。電池システム１００は、その指示にしたがってリレー１０４を動作させ、インバータ１１０または負荷１１１を電気的に切り離す。
【００１５】
図２は、電池システム１００の詳細を説明する図である。電池システム１００は、１以上の電池モジュール１０１、電池システム１００の状態を監視・推定・制御するバッテリコントローラ１０２、電池システム１００の出力を断続するリレー１０４、電池に流れた電流を計測する電流計測部１０５を備える。
【００１６】
電池モジュール１０１は、１以上の単位電池２０１と１以上のセルコントローラ２０３（通信装置）を有する。セルコントローラ２０３は、電池モジュール１０１内部の温度や各単位電池２０１の出力電圧を計測し、また必要に応じ単位電池２０１毎に充放電を実施する。これにより単位電池２０１毎の電圧監視や電圧調整が可能となり、また温度に応じて電池の特性が変化する場合において、その温度に応じて電池の状態を推定することができる。
【００１７】
電流計測部１０５とリレー１０４は、電力線１０３を介して電池モジュール１０１に対して直列接続されている。電流計測部１０５は、電池モジュール１０１の状態を監視・推定するために必要な電流値を計測する。リレー１０４は、上位コントローラ１１２の指令に基づき電池システム１００の出力を断続する。電池モジュール１０１が複数台並列に接続されている場合は、各列にリレー１０４と電流計測部１０５を設けてもよいし、電池システム１００の出力部分にのみリレー１０４と電流計測部１０５を設けてもよい。また、各列および電池システム１００の出力部の両方にリレー１０４と電流計測部１０５を設けてもよい。
【００１８】
リレー１０４は、１台のリレーによって構成してもよいし、メインリレー／プリチャージリレー／抵抗の組によって構成してもよい。後者の構成の場合、プリチャージリレーと直列に抵抗を配置し、これらをメインリレーと並列接続する。リレー１０４を接続する場合、まずプリチャージリレーを接続する。プリチャージリレーを流れる電流は直列接続した抵抗により制限されるため、前者の構成の場合において生じうる突入電流を制限することができる。プリチャージリレーを流れる電流が十分小さくなった後にメインリレーを接続する。メインリレー接続のタイミングはプリチャージリレーを流れる電流を基準にしてもよいし、抵抗にかかる電圧やメインリレーの端子間電圧を基準にしてもよいし、プリチャージリレーを接続してから経過した時間を基準にしてもよい。
【００１９】
電池モジュール１０１による計測値と電流計測部１０５による計測値は、バッテリコントローラ１０２に送信される。バッテリコントローラ１０２は、その計測値に基づき電池の状態監視、状態推定、制御を実施する。ここでいう制御とは、例えば各単位電池２０１の電圧を均等化するための単位電池２０１毎の充放電、各センサの電源制御、センサのアドレッシング、バッテリコントローラ１０２に接続されたリレー１０４の制御、などの動作である。
【００２０】
電池システム１００は、システム冷却用のファンを備える場合もあり、バッテリコントローラ１０２はそのファンを制御する場合もある。電池システム１００が冷却制御を実施することにより、電池システム１００と上位コントローラ１１２との間の通信量を削減することができる。
【００２１】
セルコントローラ２０３は、電圧検出線２０２を介して１以上の単位電池２０１と接続されている。セルコントローラ２０３は、受信信号強度計測部３０２、電源３０３、無線通信回路３０４、無線通信制御部３０５、計測部３０６、異常検知部３０７を備える。
【００２２】
計測部３０６は、無線通信制御部３０５からの指示にしたがって、各単位電池２０１の電池電圧、温度などの物理状態を計測する。この計測結果は無線通信制御部３０５と異常検知部３０７に送られる。
【００２３】
異常検知部３０７は、計測部３０６から受け取った計測結果やセルコントローラ２０３の内部状態に基づき、単位電池２０１やセルコントローラ２０３の異常の有無を検知し、無線通信制御部３０５に対してその検知結果を送る。異常検知部３０７が検知する単位電池２０１の異常としては、例えば過充電、過放電、過温度がある。異常検知部３０７が検知するセルコントローラ２０３の異常としては、例えば計測部３０６の機能異常、異常検知部３０７自身の機能異常がある。これらをセルコントローラ２０３内部で検知することにより、迅速に異常検知することができる。
【００２４】
無線通信制御部３０５は、無線通信回路３０４の動作を制御する機能部であり、計測部３０６や異常検知部３０７から受け取った計測結果または検知結果を、無線通信回路３０４を介してバッテリコントローラ１０２に対して無線通信１０６により送信する。具体的な制御方法は後述する。無線通信制御部３０５は、例えば受信信号強度計測部３０２が計測した受信電波強度を用いて使用すべき周波数チャンネルを判断する。これにより、ノイズが少なく通信異常が起きにくい適切なタイミングで計測結果を送信することができる。
【００２５】
無線通信回路３０１はアンテナ３０１に接続され、バッテリコントローラ１０２との間で電波を送受信する。無線通信回路３０１は、例えば電波の反射強度を制御する回路、および電波を発信するための回路のいずれかまたは両方を含み、これらを用いてパッシブ型またはアクティブ型の無線通信を実施する。電波の反射強度を制御する回路を用いる場合は、無線通信の消費電力を低減することができる。電波を発信する回路を用いる場合は、無線通信の信号が強化され、ノイズ耐性が向上し通信可能距離が長くなる。
【００２６】
アンテナ３０１は、電波を発信・受信するための装置であり、通信に用いる周波数帯域に適したサイズとなっている。小型化が必要な場合はチップ型のアンテナ３０１を用い、低コスト化や薄型化が必要な場合は基板表面に設けた配線パターンをアンテナ３０１として用いる。
【００２７】
受信信号強度計測部３０２は、アンテナ３０１が受信した電波の信号強度を計測する。この信号強度値は無線通信制御部３０５や電源３０３に送られる。
【００２８】
電源３０３は、セルコントローラ２０３内の各回路に電力を供給する。電源３０３自身は、単位電池２０１もしくはアンテナ３０１が受信した電波を電源として使用する。図２においては単位電池２０１を電源として用いる例を示した。セルコントローラ２０３内の各回路に常時電力を供給すると消費電力が増加してしまうため、電源３０３は必要に応じて出力を制限することができる。電源３０３は例えば、受信信号強度計測部３０２が出力する信号強度が所定値を超えると無線信号を受信していると判断して出力を開始し、無線通信制御部３０５が通信終了を示す信号を出力したら出力を停止することにより、出力を制限することができる。
【００２９】
バッテリコントローラ１０２は、各セルコントローラ２０３と無線通信してその動作を制御する回路であり、アンテナ４０１、無線通信回路４０２、無線通信制御部４０３、ＣＰＵ４０４を備える。
【００３０】
アンテナ４０１は、電波を発信・受信するための装置であり、通信に用いる周波数帯域に適したサイズとなっている。小型化が必要な場合はチップ型のアンテナ４０１を用い、低コスト化や薄型化が必要な場合は基板表面に設けた配線パターンをアンテナ４０１として用い、大きな送信出力や高い受信感度が必要な場合は例えば棒状のアンテナ４０１を用いる。アンテナ４０１は、セルコントローラ２０３が備えるアンテナ３０１との間で無線電波を送受信する。
【００３１】
無線通信回路４０２は、アンテナ４０１に接続され、これを介して電波を送受信するための発信回路や受信回路を有している。無線通信制御部４０３は、無線通信回路４０２の動作を制御する機能部であり、無線通信回路４０２を介してセルコントローラ２０３と無線通信する。通信手順については後述する。
【００３２】
ＣＰＵ４０４は、無線通信制御部４０３を介して電池モジュール１０１の状態に関する情報を取得し、これに基づき電池のＳＯＣやＳＯＨなどの状態を推定し、異常情報に基づき電池システム１００を制御し、必要に応じて上位コントローラ１１２に対して電池モジュール１０１の状態に関する情報を送信する。またＣＰＵ４０４は、電流計測部１０５の計測結果に基づき同様の制御を実施することもできる。
【００３３】
無線通信回路３０４と４０２は、例えば２．４ＧＨｚ帯やＵＨＦ帯を用いて通信する。これにより多くの国で電池システム１００を動作させることができる。これらの周波数帯は他の機器も使用しており混信が発生しうるため、無線通信制御部３０５と４０３は周波数ホッピング等の混信対策処理を実施してもよい。
【００３４】
図３は、バッテリコントローラ１０２が２台のセルコントローラ２０３との間で無線通信する動作を説明するタイミングチャートである。以下図３にしたがって、無線通信制御部３０５および４０３の動作について説明する。
【００３５】
バッテリコントローラ１０２とセルコントローラ２０３は、時分割無線通信により通信する。バッテリコントローラ１０２は、各セルコントローラ２０３に対して通信可能時間（以下、スロットと呼ぶ）を割り当て、各セルコントローラ２０３は自身に割り当てられたスロットにおいてバッテリコントローラ１０２と無線通信する。各スロットの長さは一定であるため、各セルコントローラ２０３は自身が通信を実施すべきタイミングを予測することができる。これにより各セルコントローラ２０３は、通信を実施するタイミングにおいてのみ起動し、消費電力を減らすことができる。
【００３６】
バッテリコントローラ１０２がビーコン７０１を発信すると、バッテリコントローラ１０２と各セルコントローラ２０３との間の無線通信が開始される。各セルコントローラ２０３はビーコン７０１を受信すると、最初のスロット（スロット１）が始まったことを認識する。
【００３７】
ビーコン７０１は、各セルコントローラ２０３が実施すべき動作を指示するコマンドを含んでおり、各セルコントローラ２０３は自身に割り当てられたスロットにおいてその動作を実施する。
【００３８】
バッテリコントローラ１０２は、ビーコン７０１を送出した後、定期的に信号７０２を送出し、次のスロットが始まったことを各セルコントローラ２０３に対して通知する。各セルコントローラ２０３の無線通信制御部３０５は、信号７０２を受信すると、現在のスロットが自身に割り当てられたスロットであればビーコン７０１によって指示された動作を実施する。例えばセルコントローラ２０３内部回路の起動や送信処理７２１を実施する。このように各セルコントローラが異なるタイミングで送信処理７２１を実施することにより、通信の衝突が回避できる。
【００３９】
ビーコン７０１に含まれるコマンドによっては、各セルコントローラ２０３は自身に割り当てられたスロット以外においても処理を実施してもよい。図３に示す例では、各セルコントローラ２０３の計測部３０６は、無線通信制御部３０５からの指示にしたがって、スロット１において計測処理７１１を実施する。各セルコントローラ２０３が同時に実施しても不都合が生じない計測処理７１１のような動作と、各セルコントローラ２０３が同時に実施すると通信衝突などの不都合が生じる送信処理７２１のような処理とをそれぞれ異なるスロットにおいて実施することにより、各スロット長を短縮することができる。これにより実効的な通信速度が向上し、バッテリコントローラ１０２における演算のリアルタイム性が向上する。
【００４０】
また、各セルコントローラ２０３が計測処理７１１を同一のスロットにおいて実施することにより、計測の同時性が向上し、電流計測部１０５と計測部３０６との間の計測タイミングのずれを小さくすることができる。これによりＳＯＣやＳＯＨといった電池状態に関する演算精度が改善する。
【００４１】
各セルコントローラ２０３に対するスロット割当は、例えば電池システム１００出荷時にセルコントローラ２０３が有する不揮発メモリに固定値として保存することができる。あるいは例えばビーコン７０１によってバッテリコントローラ１０２が各セルコントローラ２０３のスロット割当を指示してもよい。
【００４２】
各セルコントローラ２０３が同時に実施する処理を開始するタイミングやその処理の所要時間に合わせて、スロット割当が変わるようにしてもよい。例えば図３に示すように、計測処理７１１がスロット１から開始し所要時間が１．２スロット分である場合、セルコントローラ１の送信処理７１１にはスロット３が割り当てられ、セルコントローラ２の送信処理７１１にはスロット４が割り当てられる。これによりスロット数を最適化し、各セルコントローラ２０３とバッテリコントローラ１０２との間の通信周期を短縮できる。スロット割当をどのように変更するかについては例えば各セルコントローラ２０３の無線通信制御部３０５が判断してもよいし、ビーコン７０１などによってバッテリコントローラ１０２が指示してもよい。
【００４３】
各セルコントローラ２０３に対するスロット割当は、例えばビーコン７０１受信時に各セルコントローラ２０３がランダムに決めてもよい。この場合、通信が衝突する可能性があるが、次の通信周期において再度ビーコン７０１によってスロット割当を改めてランダムに変更することにより、次周期以降においては通信衝突を回避することができる。スロット割当をランダムに決定することにより、例えば多数のセルコントローラ２０３が雑多に存在する保管倉庫のような場所においても、本発明の効果を発揮するためのスロット割当を効率的に設定することができる。
【００４４】
スロットをランダムに割り当てる場合においても、各セルコントローラ２０３が同時に実施する処理を開始するタイミングやその処理の所要時間に合わせて、ランダムに割り当てるスロット番号を制約してもよい。例えば、スロット１から開始し所要時間が１．２スロット分である処理が既に存在する場合は、その他の処理に対して割り当てるスロット番号は３以上とする。これにより、ランダムに割り当てたスロットが他の処理に割り当てられたスロットと競合することを回避できる。
【００４５】
＜本発明のまとめ＞
以上のように、本発明に係るセルコントローラ２０３において、単位電池２０１の物理状態を計測開始するスロットと、その計測結果を無線送信するスロットは、互いに異なっている。これにより無線通信制御部３０５は、計測部３０６による計測所要時間に制約されることなく、計測結果を無線送信することができる。したがって、セルコントローラ２０３間の通信衝突を回避しつつ、計測結果を送信するスロット長を短くして実行通信効率を高めることができる。
【００４６】
また本発明に係る電池システム１００において、各セルコントローラ２０３は同一のスロットにおいて計測処理７１１を開始することができる。これにより計測部３０６が電池電圧を計測するタイミングをセルコントローラ２０３間で一致させることができ、ＳＯＣやＳＯＨの算出精度を改善することができる。
【００４７】
本発明は上記した実施形態に限定されるものではなく、様々な変形例が含まれる。上記実施形態は本発明を分かりやすく説明するために詳細に説明したものであり、必ずしも説明した全ての構成を備えるものに限定されるものではない。例えば、上記実施形態においては電池の物理状態を計測して無線送信する例を説明したが、その他の被計測対象の物理状態を計測して無線送信する通信システムにおいても、本発明を適用することができる。
【００４８】
上記各構成、機能、処理部、処理手段等は、それらの一部を、例えば集積回路で設計する等によりハードウェアで実現してもよい。また、上記の各構成、機能等は、プロセッサがそれぞれの機能を実現するプログラムを解釈し、実行することによりソフトウェアで実現してもよい。各機能を実現するプログラム、テーブル、ファイル等の情報は、メモリ、ハードディスク、ＳＳＤ（Ｓｏｌｉｄ  Ｓｔａｔｅ  Ｄｒｉｖｅ）等の記録装置、ＩＣカード、ＳＤカード、ＤＶＤ等の記録媒体に格納することができる。
【符号の説明】
【００４９】
１００：電池システム、１０１：電池モジュール、１０２：バッテリコントローラ、１０３：電力線、１０４：リレー、１０５：電流計測部、１０６：無線通信、１１０：インバータ、１１１：負荷、１１２：上位コントローラ、２０１：単位電池、２０２：電圧検出線、２０３：セルコントローラ、３０１：アンテナ、３０２：受信信号強度計測部、３０３：電源、３０４：無線通信回路、３０５：無線通信制御部、３０６：計測部、３０７：異常検知部、４０１：アンテナ、４０２：無線通信回路、４０３：無線通信制御部、４０４：ＣＰＵ。
【図１】
2015145622.tif 000003
【図２】
2015145622.tif 000004
【図３】
2015145622.tif 000005
【手続補正書】
【提出日】平成27年4月27日(2015.4.27)
【手続補正１】
【補正対象書類名】特許請求の範囲
【補正対象項目名】全文
【補正方法】変更
【補正の内容】
【特許請求の範囲】
【請求項１】
被計測対象の物理状態を計測する計測部、
前記計測部による計測結果を時分割の無線通信により送信する無線通信部、
を備え、
前記無線通信部は、あらかじめ割り当てられた前記時分割の無線通信上の第１時間スロットにおいて、前記計測結果を無線通信により送信し、
前記計測部は、前記第１時間スロットとは異なる前記時分割の無線通信上の第２時間スロットにおいて、前記被計測対象の物理状態を計測する動作を開始する
ことを特徴とする通信装置。
【請求項２】
前記計測部と前記無線通信部は、環境中の電磁波から電力を受け取り、その電力を電源として動作する
ことを特徴とする請求項１記載の通信装置。
【請求項３】
前記無線通信部は、前記被計測対象の物理状態に関する計測結果を送信するよう指示する命令を無線通信により受信し、その指示にしたがって前記計測部に対して前記被計測対象の物理状態を計測開始するよう指示し、
前記計測部は、前記無線通信部からの指示にしたがって前記被計測対象の物理状態を計測する動作を開始し、
前記計測部と前記無線通信部は、前記無線通信部が前記命令を受信した無線通信の電磁波を電源として動作する
ことを特徴とする請求項２記載の通信装置。
【請求項４】
前記計測部と前記無線通信部は、前記被計測対象から電力を受け取り、その電力を電源として動作する
ことを特徴とする請求項１記載の通信装置。
【請求項５】
前記被計測対象は電池であることを特徴とする請求項４記載の通信装置。
【請求項６】
第１および第２の請求項１記載の通信装置、
前記第１および第２の通信装置と無線通信するコントローラ、
を備え、
前記コントローラは、前記第１および第２の通信装置に対してそれぞれ、前記第１時間スロットを割り当てる信号と、その割り当てた前記第１時間スロットにおいて前記計測結果を送信するよう指示する送信命令とを、無線通信により送信し、
前記第１および第２の通信装置は、前記送信命令にしたがって前記第１時間スロットにおいて前記計測結果を無線通信により前記コントローラに対して送信する
ことを特徴とする通信システム。
【請求項７】
前記コントローラは、前記第１および第２の通信装置に対してそれぞれ、前記第１時間スロットとは異なる前記第２時間スロットを割り当てる信号と、その割り当てた前記第２時間スロットにおいて前記被計測対象の物理状態を計測するよう指示する計測命令とを、無線通信により送信し、
前記第１および第２の通信装置は、前記計測命令にしたがって前記第２時間スロットにおいて前記被計測対象の物理状態を計測する動作を開始する
ことを特徴とする請求項６記載の通信システム。
【請求項８】
前記コントローラは、前記第１および第２の通信装置に対して、互いに時間的に重なり合う前記第２時間スロットを割り当て、
前記第１および第２の通信装置は、前記コントローラから割り当てられた前記第２時間スロットにしたがって、互いに同時並行して、前記被計測対象の物理状態を計測する
ことを特徴とする請求項７記載の通信システム。
【国際調査報告】
2015145622.tif 000006
2015145622.tif 000007
2015145622.tif 000008
2015145622.tif 000009